(57)【要約】【課題】  女性ゴルファーが、ソックスと共にストッキングを着用しても、ストッキング着用なしの時と同様のスイングが可能なストッキングを提供すること。【解決手段】  この考案のストッキング１０は、腰部から下腹部及び臀部を覆うパンティー部１１と、大腿部から足首までを覆う一組のレッグ部１２と、足首から先を覆う一組のフット部１４とから構成される。また、フット部１４は、踵部１６にストッキングの生地を有していないと共に、足先部の足裏部分に趾球滑り止め部１７を有している。【選択図】図１
0003162926.tif 000002
【実用新案登録請求の範囲】
【請求項１】
踵部に生地を有さず、足先部の足裏部分に滑り止め部を有することを特徴とするストッキング。
【請求項２】
紫外線遮蔽機能を有することを特徴とする請求項１に記載のストッキング。
【請求項３】
前記踵部の生地を有さない部位は、土踏まずと踵の境目からくるぶしの下近傍までであることを特徴とする請求項１又は請求項２に記載のストッキング。
【請求項４】
繊度が２０デニール未満の編成糸で編み立てられたことを特徴とする請求項１乃至請求項３のいずれか１項に記載のストッキング。
【請求項５】
パンティーストッキングであることを特徴とする請求項１乃至請求項４のいずれか１項に記載のストッキング。
【請求項６】
ソックスを重ねて着用することを特徴とする請求項１乃至請求項５のいずれか１項に記載のストッキング。
【考案の詳細な説明】
【技術分野】
【０００１】  この考案は、ゴルフ、テニス等のスポーツを行う際に着用するストッキングに関するものである。
【背景技術】
【０００２】  一般に、ゴルフはドレスコードが厳しく、足元はソックス（靴下）着用の上でゴルフシューズを履くことがマナーとなっている。【０００３】  この点に着目し、例えば特許文献１には、ゴルフ用靴下として足の踏ん張る力を高めることを目的とした靴下が提案されている。
【先行技術文献】
【特許文献】
【０００４】
【特許文献１】  特開２００９−９７１２２号公報
【考案の概要】
【考案が解決しようとする課題】
【０００５】  ところで、女性ゴルファーにおいては、ソックスとスカート等との間の素肌部分を美しくみせると共に、露出している素肌部分の日焼けを防止するために、ソックスと共にストッキングを着用することが多くなっている。【０００６】  しかしながら、通常のストッキングを着用した上にソックスを履いてゴルフをプレイすると、ストッキングとソックスの間で滑りが発生し、スイングの軸がぶれてしまうことで正確なスイングが難しくなるという課題があった。
【課題を解決するための手段】
【０００７】  この考案の目的は、上述した事情に鑑みなされたもので、この考案の主たる目的は、女性ゴルファーが、ソックスと共にストッキングを着用しても、ストッキング着用なしの時と同様のスイングが可能なストッキングを提供することである。【０００８】  上述した課題を解決し、目的を達成するため、この考案に係わるストッキングは、請求項１の記載によれば、踵部に生地を有さず、足先部の足裏部分に滑り止め部を有することを特徴とする。【０００９】  また、この考案に係わるストッキングは、請求項２の記載によれば、紫外線遮蔽機能を有することを特徴とする。【００１０】  また、この考案に係わるストッキングは、請求項３の記載によれば、前記踵部の生地を有さない部位は、土踏まずと踵の境目からくるぶしの下近傍までであることを特徴とする。【００１１】  また、この考案に係わるストッキングは、請求項４の記載によれば、繊度が２０デニール未満の編成糸で編み立てられたことを特徴とする。【００１２】  また、この考案に係わるストッキングは、請求項５の記載によれば、パンティーストッキングであることを特徴とする。【００１３】  また、この考案に係わるストッキングは、請求項６の記載によれば、ソックスを重ねて着用することを特徴とする。
【考案の効果】
【００１４】  この考案のストッキングを着用することで、ストッキングとソックスの間の滑りを防止し、従前の正確なスイングが可能となる。【００１５】  また、この考案のストッキングを着用することで、ソックスとスカート等との間の素肌部分の日焼けを防止可能となる。
【図面の簡単な説明】
【００１６】
【図１】  この考案のストッキングを示す斜視図である。
【考案を実施するための形態】
【００１７】  以下に図面を用いてこの考案のストッキング１０を説明する。図１は、この考案のストッキングを示す斜視図である。
【００１８】  この考案のストッキング１０は、腰部から下腹部及び臀部を覆うパンティー部１１と、大腿部から足首までを覆う一組のレッグ部１２と、足首から先を覆う一組のフット部１４とから構成される。また、フット部１４は、踵部１６にストッキングの生地を有していないと共に、足先部の足裏部分に趾球滑り止め部１７を有している。
【００１９】  なお、この考案の実施例におけるストッキング１０は、いわゆるパンティーストッキングを例にして説明しているが、パンティー部１１を有しない２本一組のストッキングであってもその構成は同様である。
【００２０】  ストッキング１０の生地は、例えば弾性繊維の芯糸へ被覆弾性繊維を巻き付けた被覆弾性糸を編成糸として利用して編み立てられている。なお、この編成糸を構成する弾性繊維及び被覆弾性繊維は何か特定のものに限定されるものではなく、例えば、弾性繊維にはポリウレタン系弾性繊維、ポリアミド系エラストマー弾性繊維、天然ゴム系弾性繊維、合成ゴム系弾性繊維等を、また、被覆弾性繊維にはポリアミド繊維やナイロン繊維等を用いることが可能である。
【００２１】  また、ストッキング１０の生地の編み立てに関しても、被覆弾性糸のみによるゾッキ編みとしても良いし、また、被覆弾性糸と例えばポリアミド繊維等の非弾性フィラメント糸との交編としても良い。
【００２２】  なお、この編成糸の繊度は、数デニール（デシテックス）から２００デニール（デシテックス）程度のものが使用可能であるが、ソックスとスカート等との間のストッキングが露出する部分を素肌のように美しくみせるためには、２０デニール未満の透明感のある編成糸を用いることが望ましい。
【００２３】  また、ストッキング１０に紫外線遮蔽機能を付与するために、ストッキング１０の生地は、紫外線吸収剤を含有する編成糸により編み立てられている。なお、紫外線吸収剤はストッキング１０の生地の編み立て後に含有させるようにしても良い。
【００２４】  なお、紫外線吸収剤は、例えば、２−（２’−ヒドロキシ−３’−ｔｅｒｔ−ブチル−５’−メチルフェノール）−５’−クロロベンゾトリアゾール、２−（２’−ヒドロキシ−３’，５’−ジｔｅｒｔ−フェノール）ベンゾトリアゾール、サリチル酸フェニル、サリチル酸ｐ−オクチルフェニル、サリチル酸−４−ｔｅｒｔ−ブチルフェニル、サリチル酸誘導体、置換アクリロニトリル、芳香族エステル化合物等やこれらの組み合わせが利用可能である。なお、この紫外線吸収剤は、紫外線遮蔽機能を有するものであれば、何か特定のものに限定されるものではない。
【００２５】  この考案のストッキング１０は、図１に示すとおり、フット部１４は踵部１６に生地を有さない。具体的には、足裏において、土踏まずと踵の境目で踵全体が露出するようにストッキング１０の生地が切断されて、足首において、足裏のストッキング１０の生地の切断に連続してくるぶしの下で切断されることで生地を有さない構成となっている。なお、この踵部１６は、裁断・縫製や、成形編み立てで形成されている。
【００２６】  また、足先部の足裏部分には、拇趾球から小趾球までのふくらみの位置に、例えばポリ塩化ビニル、天然ゴムや合成ゴム等の趾球滑り止め部１７を有している。なお、この趾球滑り止め部１７は、滑り止めの機能を有するものであれば、何か特定のものに限定されるものではない。
【００２７】  この結果、フット部１４は、足裏で土踏まずから爪先までを略覆うようにストッキング１０の生地が残され、足首でくるぶしを略覆うようにストッキング１０の生地が残される構成となっている。
【００２８】  なお、この考案のストッキング１０を着用してゴルフを行う際には、ゴルフのドレスコードの関係上、ソックスを重ねて着用することとなる。また、ゴルフ用のソックスは、一般的にくるぶしを略覆うようにソックスの足首部が成形されている。このため、当該ソックスの着用により露出している踵部１６全体が覆われることとなり、踵部１６の日焼けも防止可能となっている。
【００２９】  この考案のストッキング１０では、足裏において、拇趾球から小趾球までのふくらみの位置に趾球滑り止め部１７を有し、踵は露出する構成となっている。すなわち、ストッキング１０の上に重ねて着用しているソックスに対して、拇趾球から小趾球までのふくらみの位置においては趾球滑り止め部１７で、踵の位置においては踵がソックスに直接接触することで、ストッキング１０とソックスの間の滑りが防止可能となる。この結果、ゴルフスイング時に重要な、左右の足親指の付け根（拇趾球）間の体重移動を確実に行えるので、スイングの軸がぶれることなく正確なスイングが可能となる。
【００３０】  以上のように、この考案のストッキング１０により、女性ゴルファーがソックスと共にストッキング１０を着用することで、ソックスとスカート等との間の素肌部分の日焼けがレッグ部１２により防止可能となると共に、足裏における拇趾球から小趾球までのふくらみの位置の趾球滑り止め部１７と踵の露出とにより、ストッキング着用なしの時と同様のスイングが可能となる。
【産業上の利用可能性】
【００３１】  この考案のストッキング１０は、ゴルフのプレー時に使用するものとして説明を行ったが、一般にスポーツを行う際にストッキングを着用する場合には、該ストッキングの上にソックスを着用することが多い。即ち、この考案のストッキング１０は、ゴルフ以外の、例えばテニス、ソフトボール、野球、バレーボール、サッカーボール、バスケットボール、スキー、スノーボード等おスポーツにおけるストッキングとしても適用可能である。
【符号の説明】
【００３２】１０・・・ストッキング１０、  １１・・・パンティー部１１、  １２・・・レッグ部、  １４・・・フット部、  １６・・・踵部、  １７・・・趾球滑り止め部
【図１】
0003162926.tif 000003